(57)【要約】  止部に装飾性を付与することができるスライドファスナーを提供する。  一対のファスナーテープ２０と、一対のファスナーテープ２０の対向するテープ側縁部２０ａに沿ってそれぞれ列設され、複数のファスナーエレメント３１を有する一対のファスナーエレメント列３０と、一対のファスナーエレメント列３０を噛合・分離させるスライダーと、スライダーの摺動を停止させる止部５０，７０と、止部５０，７０に装着される装飾部材６０と、を備え、止部５０，７０は、ファスナーテープ２０を収容するテープ収容部５１と、装飾部材６０を係合させる被係合部５２と、を有し、装飾部材６０は、装飾が施される本体部６１と、本体部６１の裏面に設けられ被係合部５２と係合する係合部６２と、を有する。
2012043047.tif 000002
【特許請求の範囲】
【請求項１】
一対のファスナーテープ（２０）と、
前記一対のファスナーテープの対向するテープ側縁部（２０ａ）に沿ってそれぞれ列設され、複数のファスナーエレメント（３１）を有する一対のファスナーエレメント列（３０）と、
前記一対のファスナーエレメント列を噛合・分離させるスライダーと、
前記一対のファスナーエレメント列の上下端部に配置され、前記スライダーの摺動を停止させる止部（５０，７０）と、
前記止部の少なくともいずれか１つに装着される装飾部材（６０）と、を備え、
前記止部の少なくともいずれか１つは、前記ファスナーテープを収容するテープ収容部（５１）と、前記装飾部材を係合させる被係合部（５２，５２Ｄ）と、を有し、
前記装飾部材は、装飾が施される本体部（６１）と、前記本体部の裏面に設けられ前記被係合部と係合する係合部（６２，６２Ｄ）と、を有することを特徴とするスライドファスナー（１０）。
【請求項２】
前記係合部（６２，６２Ｄ）は、前記本体部（６１）の裏側から前記ファスナーテープ（２０）の表裏方向に突出する突起であって、その先端部から前記ファスナーテープと水平方向に膨出する部分を有し、
前記被係合部（５２，５２Ｄ）は、前記係合部と係合する凹部からなることを特徴とする請求項１に記載のスライドファスナー。
【請求項３】
前記被係合部は、前記止部（５０，７０）を表裏方向に貫通する貫通孔（５２）であり、
前記係合部は、前記本体部（６１）の裏面に突設される係合脚部（６２）であることを特徴とする請求項１に記載のスライドファスナー。
【請求項４】
前記貫通孔（５２）は、前記係合脚部（６２）と係合する係合段部（５７）を有することを特徴とする請求項３に記載のスライドファスナー。
【請求項５】
前記係合脚部（６２）は、前記ファスナーテープ（２０）の長手方向に沿って形成されることを特徴とする請求項３又は４に記載のスライドファスナー。
【請求項６】
前記装飾部材（６０）は、軟質の合成樹脂材料からなり、
前記止部（５０，７０）は、前記装飾部材より硬質の合成樹脂材料からなり、
前記貫通孔（５２）の内周面は合成樹脂により覆われていることを特徴とする請求項４に記載のスライドファスナー。
【請求項７】
前記止部（５０）の表面に壁部（５３）が立設され、
前記壁部で囲まれた部分の内側に前記装飾部材（６０）が収容されることを特徴とする請求項６に記載のスライドファスナー。
【請求項８】
前記止部（５０）は、前記一対のファスナーテープ（２０）に跨って設けられ、前記スライダーの摺動方向に沿って長方形状に形成される下止部であることを特徴とする請求項７に記載のスライドファスナー。
【請求項９】
前記係合部（６２）は、前記係合部の裏面側に前記ファスナーテープ（２０）の表裏方向に突出する延出部（６５，６５Ｇ，６５Ｈ，６５Ｋ）を備えることを特徴とする請求項１に記載のスライドファスナー。
【請求項１０】
前記延出部（６５，６５Ｇ，６５Ｈ，６５Ｋ）は、機械的強度が他の部分より弱く設定され、前記係合部（６２）から前記延出部を分離するための破断起点となる脆弱部（６７）を備えることを特徴とする請求項９に記載のスライドファスナー。
【請求項１１】
前記延出部（６５Ｋ）は、一端側の幅が、他端側の幅から次第に狭くなる断面形状を有することを特徴とする請求項９に記載のスライドファスナー。
【請求項１２】
前記係合部（６２）の裏面は、前記係合部から前記延出部（６５，６５Ｇ，６５Ｈ，６５Ｋ）を分離除去した延出部除去痕（６２ａ）を有することを特徴とする請求項９に記載のスライドファスナー。
【請求項１３】
スライドファスナー（１０）の止部の製造方法であって、
止部（５０，７０）は、ファスナーテープ（２０）を収容するテープ収容部（５１）と、装飾部材（６０）を係合させる被係合部（５２）と、を有し、
前記装飾部材は、装飾が施される本体部（６１）と、前記本体部の裏面に設けられ前記被係合部と係合する係合部（６２）と、を有し、
前記係合部の裏面側に、前記ファスナーテープの表裏方向に突出する延出部（６５，６５Ｇ，６５Ｈ，６５Ｋ）が形成され、
前記係合部を前記延出部と共に前記被係合部に挿入する工程と、
前記延出部を前記止部の裏面方向に引っ張って前記係合部を前記被係合部に係合させる工程と、を備えることを特徴とするスライドファスナーの止部の製造方法。
【請求項１４】
前記係合部（６２）を前記被係合部（５２）に係合させて前記装飾部材（６０）を前記止部（５０，７０）に装着した後、前記係合部から前記延出部（６５，６５Ｇ，６５Ｈ，６５Ｋ）を分離除去する工程を更に備えることを特徴とする請求項１３に記載のスライドファスナーの止部の製造方法。
【発明の詳細な説明】
【技術分野】
【０００１】
この発明は、スライドファスナー及びスライドファスナーの止部の製造方法に関し、より詳細には、スライドファスナーの上止部や下止部及びその製造方法に関する。
【背景技術】
【０００２】
従来から、スライドファスナーにおいては、ファスナーエレメント列の端部に合成樹脂製の上止部や下止部などの止部を設け、スライダーの摺動を停止させてスライダーがファスナーエレメント列から抜け落ちないようにした構成が採用されている。下止部は、対向するファスナーエレメント列の下端同士を連結することにより、スライダーの抜け落ちを防止している。【０００３】
そして、従来のスライドファスナーとしては、貫通孔が設けられるバックプレートと、突出ピンを貫通孔に係合、変形させることによりバックプレートに固定されるリベット部材と、を有する下止部を備えるものが知られている（例えば、特許文献１参照）。
【先行技術文献】
【特許文献】
【０００４】
【特許文献１】日本国特開２００８‐６８１１０号公報
【発明の概要】
【発明が解決しようとする課題】
【０００５】
近年、スライドファスナーに、ロゴマーク、キャラクター、模様、各種マーク、彩色などの装飾を施して、美観を向上させて商品価値を高めたいという顧客からの要求がある。【０００６】
しかしながら、上記特許文献１に記載のスライドファスナーでは、バックプレートにリベット部材を固定することにより、丈夫な下止部を提供することはできるものの、止部（上止部、下止部）の装飾性については考慮されていなかった。【０００７】
本発明は、前述した事情に鑑みてなされたものであり、その目的は、止部に装飾性を付与することができるスライドファスナーを提供することにある。
【課題を解決するための手段】
【０００８】
本発明の上記目的は、下記の構成により達成される。
（１）一対のファスナーテープと、一対のファスナーテープの対向するテープ側縁部に沿ってそれぞれ列設され、複数のファスナーエレメントを有する一対のファスナーエレメント列と、一対のファスナーエレメント列を噛合・分離させるスライダーと、一対のファスナーエレメント列の上下端部に配置され、スライダーの摺動を停止させる止部と、止部の少なくともいずれか１つに装着される装飾部材と、を備え、止部の少なくともいずれか１つは、ファスナーテープを収容するテープ収容部と、装飾部材を係合させる被係合部と、を有し、装飾部材は、装飾が施される本体部と、本体部の裏面に設けられ被係合部と係合する係合部と、を有することを特徴とするスライドファスナー。
（２）係合部は、本体部の裏側からファスナーテープの表裏方向に突出する突起であって、その先端部からファスナーテープと水平方向に膨出する部分を有し、被係合部は、係合部と係合する凹部からなることを特徴とする（１）に記載のスライドファスナー。
（３）被係合部は、止部を表裏方向に貫通する貫通孔であり、係合部は、本体部の裏面に突設される係合脚部であることを特徴とする（１）に記載のスライドファスナー。
（４）貫通孔は、係合脚部と係合する係合段部を有することを特徴とする（３）に記載のスライドファスナー。
（５）係合脚部は、ファスナーテープの長手方向に沿って形成されることを特徴とする（３）又は（４）に記載のスライドファスナー。
（６）装飾部材は、軟質の合成樹脂材料からなり、止部は、装飾部材より硬質の合成樹脂材料からなり、貫通孔の内周面は合成樹脂により覆われていることを特徴とする（４）に記載のスライドファスナー。
（７）止部の表面に壁部が立設され、壁部で囲まれた部分の内側に装飾部材が収容されることを特徴とする（６）に記載のスライドファスナー。
（８）止部は、一対のファスナーテープに跨って設けられ、スライダーの摺動方向に沿って長方形状に形成される下止部であることを特徴とする（７）に記載のスライドファスナー。
（９）係合部は、係合部の裏面側に前記ファスナーテープの表裏方向に突出する延出部を備えることを特徴とする（１）に記載のスライドファスナー。
（１０）延出部は、機械的強度が他の部分より弱く設定され、係合部から延出部を分離するための破断起点となる脆弱部を備えることを特徴とする（９）に記載のスライドファスナー。
（１１）延出部は、一端側の幅が、他端側の幅から次第に狭くなる断面形状を有することを特徴とする（９）に記載のスライドファスナー。
（１２）係合部の裏面は、係合部から延出部を分離除去した延出部除去痕を有することを特徴とする（９）に記載のスライドファスナー。
（１３）スライドファスナーの止部の製造方法であって、止部は、ファスナーテープを収容するテープ収容部と、装飾部材を係合させる被係合部と、を有し、装飾部材は、装飾が施される本体部と、本体部の裏面に設けられ被係合部と係合する係合部と、を有し、係合部の裏面側に、ファスナーテープの表裏方向に突出する延出部が形成され、係合部を延出部と共に被係合部に挿入する工程と、延出部を止部の裏面方向に引っ張って係合部を被係合部に係合させる工程と、を備えることを特徴とするスライドファスナーの止部の製造方法。
（１４）係合部を被係合部に係合させて装飾部材を止部に装着した後、係合部から延出部を分離除去する工程を更に備えることを特徴とする（１３）に記載のスライドファスナーの止部の製造方法。
【発明の効果】
【０００９】
本発明のスライドファスナーによれば、一対のファスナーエレメント列の上下端部に配置され、スライダーの摺動を停止させる止部と、止部の少なくともいずれか１つに装着される装飾部材と、を備えるため、任意の装飾が施された装飾部材を止部に装着して、止部に装飾性を付与することができる。【００１０】
また、止部の少なくともいずれか１つは、ファスナーテープを収容するテープ収容部と、装飾部材を係合させる被係合部と、を有し、装飾部材は、装飾が施される本体部と、本体部の裏面に設けられ被係合部と係合する係合部と、を有するため、被係合部に係合部を係合させることにより、装飾部材を止部に容易に取り付けることができる。また、被係合部と係合部とを係合させるので、装飾部材の止部から脱落を確実に防止することができる。【００１１】
また、本発明のスライドファスナーによれば、係合部は、係合部の裏面側にファスナーテープの表裏方向に突出する延出部を備え、係合部を延出部と共に被係合部に挿入した後、延出部を止部の裏面方向に引っ張って係合部を被係合部に係合させるため、工具を用いることなく容易に被係合部と係合部とを係合させることができ、作業性を向上させることができる。【００１２】
また、延出部は、機械的強度が他の部分より弱く設定された脆弱部を備え、脆弱部を破断起点として破断して係合部から延出部を分離除去できるため、装飾部材を止部に装着した後、係合部から延出部を分離除去することで良好な意匠性を維持することができる。
【図面の簡単な説明】
【００１３】
【図１】本発明に係るスライドファスナーの一実施形態を説明する下止部の周辺の拡大表面図である。
【図２】図１のＡ−Ａ線断面図である。
【図３】図２のＢ−Ｂ線断面図である。
【図４】図１に示す下止部を表面側から見た斜視図である。
【図５】図４に示す下止部を裏面側から見た斜視図である。
【図６】図１に示す装飾部材を表面側から見た斜視図である。
【図７】図６に示す装飾部材を裏面側から見た斜視図である。
【図８】本発明に係るスライドファスナーの第１変形例を説明する断面図である。
【図９】本発明に係るスライドファスナーの第２変形例を説明する拡大表面図である。
【図１０】本発明に係るスライドファスナーの第３変形例を説明する拡大表面図である。
【図１１】本発明に係るスライドファスナーの第４変形例を説明する拡大斜視図である。
【図１２】本発明に係るスライドファスナーの第５変形例を説明する拡大斜視図である。
【図１３】本発明に係るスライドファスナーの第６変形例の装飾部材を表面側から見た斜視図である。
【図１４】図１３に示す装飾部材を裏面側から見た斜視図である。
【図１５】図１３に示す第６変形例のスライドファスナーの止部の製造方法を示す断面図であり、（ａ）は下止部の貫通孔に挿入された装飾部材の延出部が引っ張られた状態の図、（ｂ）は装飾部材の係合部が下止部の貫通孔と係合した状態の図、（ｃ）は延出部が係合脚部から分離された状態の図である。
【図１６】本発明に係るスライドファスナーの第７変形例の装飾部材を裏面側から見た要部斜視図である。
【図１７】本発明に係るスライドファスナーの第８変形例の装飾部材を裏面側から見た要部斜視図である。
【図１８】本発明に係るスライドファスナーの第９変形例の装飾部材を裏面側から見た要部斜視図である。
【図１９】本発明に係るスライドファスナーを説明する上止部の周辺の拡大表面図である。
【図２０】図１９に示す上止部の周辺の拡大裏面図である。
【図２１】図１９のＣ−Ｃ線断面図である。
【図２２】図１９に示すスライドファスナーをＤ方向から見た側面図である。
【図２３】本発明に係るスライドファスナーが採用されたバッグの斜視図である。
【図２４】本発明に係るスライドファスナーが胸ポケットに採用された上着の正面図である。
【発明を実施するための形態】
【００１４】
以下、本発明に係るスライドファスナーの一実施形態を図面に基づいて詳細に説明する。なお、以後の説明において、表側とは図１の紙面に対して手前側、裏側とは図１の紙面に対して奥側、上側とは図１の紙面に対して上側（後述するファスナーエレメント列３０を噛合させるようにスライダーを摺動する方向側）、下側とは図１の紙面に対して下側（後述するファスナーエレメント列３０を分離させるようにスライダーを摺動する方向側）、左側とは図１の紙面に対して左側、右側とは図１の紙面に対して右側として説明する。また、ファスナーテープの左右方向は幅方向とも言う。また、ファスナーテープの上下方向は長手方向とも言う。
【００１５】
本実施形態のスライドファスナー１０は、図１に示すように、左右一対のファスナーテープ２０と、左右一対のファスナーテープ２０の対向するテープ側縁部２０ａの長手方向に沿ってそれぞれ設けられ、複数のファスナーエレメント３１を有する左右一対のファスナーエレメント列３０と、左右のファスナーエレメント列３０を噛合・分離させる不図示のスライダーと、左右のファスナーエレメント列３０，３０の下端部に設けられファスナーエレメント３１と隣り合って取り付けられる下止部５０と、左右のファスナーエレメント列３０，３０の上端部のそれぞれに設けられる不図示の上止部と、下止部５０に装着される装飾部材６０と、を備える。そして、スライダーを上下方向に移動させることにより、左右一対のファスナーエレメント列３０が噛合・分離される。また、スライダーの下方への摺動は下止部５０により制限され、スライダーの上方への摺動は上止部により制限されて、スライダーがファスナーエレメント列３０から抜け落ちないようになっている。
【００１６】
左右一対のファスナーエレメント列３０の各々は、複数のファスナーエレメント３１から構成されており、このファスナーエレメント３１は、例えば、ポリアミド、ポリアセタール、ポリプロピレン、ポリブチレンテレフタレートなどの合成樹脂を用いて、ファスナーテープ２０のテープ側縁部２０ａに射出成形されている。
【００１７】
下止部５０は、図１〜図５に示すように、左右一対のファスナーテープ２０に跨って射出成形され、スライダーの摺動方向に沿って長方形状に形成されており、ファスナーテープ２０をそれぞれ収容する左右一対のテープ収容部５１と、装飾部材６０を係合させる２個の貫通孔（被係合部）５２と、下止部５０の表側の周縁の全周に亘って立設される壁部５３と、壁部５３の内側に形成され、装飾部材６０を収容する収容凹部５４と、を備える。また、貫通孔５２は、ファスナーテープ２０の表裏方向で、幅方向中央部で左右一対の対向するファスナーテープ２０間に形成される。
【００１８】
貫通孔５２は、下止部５０の幅方向中央において、下止部５０の長手方向に沿って２個形成される。また、貫通孔５２は、下止部５０の長手方向に沿って長方形状に形成される。また、貫通孔５２の内周面は合成樹脂により覆われている。換言すれば、貫通孔５２の内周面とファスナーテープ２０との間には、合成樹脂層が存在し、ファスナーテープ２０が貫通孔５２内に露出することはない。
【００１９】
装飾部材６０は、図１〜図３、図６、及び図７に示すように、表面に装飾が施される板部材（本体部）６１と、板部材６１の裏面に突設され、下止部５０の２個の貫通孔５２とそれぞれ係合する２個の係合脚部（係合部）６２と、を備える。
【００２０】
板部材６１は、下止部５０の収容凹部５４内に嵌合する大きさの板状部材であり、その表面６１ａには、ロゴマーク、キャラクター、模様、各種マーク、彩色などの任意の装飾が施されている。
【００２１】
係合脚部６２は、下止部５０の貫通孔５２に挿入・嵌合可能な略Ｔ字状の突部であり、ファスナーテープ２０の長手方向に沿って長方形状に形成されている。また、係合脚部６２の先端部の短辺側の両端部には、下止部５０の貫通孔５２と係合する係合部６３がそれぞれ形成されている。また、係合脚部６２は、その長手方向の辺が幅方向の辺よりも長く形成されている。
【００２２】
また、図２〜図５に示すように、下止部５０の貫通孔５２の内周面である長辺の側面は、下止部５０の表面側から裏面側に向かうに従って次第に幅方向寸法が小さくなる傾斜面５５に形成され、同じく短辺の側面は、下止部５０の表面側から裏面側に向かうに従って次第に長手方向寸法が小さくなる傾斜面５６に形成されている。また、貫通孔５２の短辺の傾斜面５６の裏側には、係合脚部６２の係合部６３と係合する台形状の係合段部５７が張り出し形成されている。また、貫通孔５２の裏面側には、長辺の傾斜面５５及び係合段部５７に連続して、装飾部材６０の係合脚部６２を収容する脚部収容凹部５８が形成されている。
【００２３】
また、装飾部材６０は、軟質の合成樹脂材料から成形され、下止部５０は、装飾部材６０より硬質の合成樹脂材料から成形されている。このため、装飾部材６０は、下止部５０より軟らかく、比較的容易に弾性変形可能である。これにより、装飾部材６０の係合脚部６２を下止部５０の貫通孔５２に容易に挿入することができる。なお、軟質の合成樹脂材料としては、例えば、ポリウレタン、シリコンゴム、熱可塑性エラストマーなどを挙げることができる。
【００２４】
以上説明したように、本実施形態のスライドファスナー１０によれば、任意の装飾が施された装飾部材６０を下止部５０に装着するため、下止部５０に装飾性を付与することができ、ひいては、スライドファスナー１０に多様な装飾を付与することができる。
【００２５】
また、下止部５０は、ファスナーテープ２０を収容するテープ収容部５１と、装飾部材６０を係合させる貫通孔５２と、を有し、装飾部材６０は、任意の装飾が施される板部材６１と、板部材６１の裏面に突設され貫通孔５２と係合する係合脚部６２と、を有するため、貫通孔５２に係合脚部６２を係合させることにより、装飾部材６０を下止部５０に容易に取り付けることができる。また、貫通孔５２と係合脚部６２とを係合させるので、装飾部材６０の下止部５０から脱落を確実に防止することができる。
【００２６】
また、本実施形態のスライドファスナー１０によれば、貫通孔５２が装飾部材６０の係合脚部６２と係合する係合段部５７を有するため、装飾部材６０の下止部５０からの脱落を確実に防止することができる。また、係合脚部６２が貫通孔５２の脚部収容凹部５８内に収容されるため、下止部５０の裏面から係合脚部６２が露出することがないので、スライドファスナー１０の意匠性を向上することができる。
【００２７】
また、本実施形態のスライドファスナー１０によれば、係合脚部６２がファスナーテープ２０の長手方向に沿って形成されるため、係合脚部６２を下止部５０の貫通孔５２に挿入し易くして、装飾部材６０を下止部５０に装着する作業を容易にすることができる。
【００２８】
また、本実施形態のスライドファスナー１０によれば、装飾部材６０が軟質の合成樹脂材料からなり、下止部５０が装飾部材６０より硬質の合成樹脂材料からなるため、軟質の装飾部材６０の係合脚部６２を柔軟に変形させて、硬質の下止部５０の貫通孔５２に挿入させることができる。これにより、装飾部材６０を下止部５０に容易に取り付けることができる。
【００２９】
また、下止部５０の貫通孔５２の内周面が合成樹脂により覆われているため、貫通孔５２内にファスナーテープ２０が露出することがない。これにより、装飾部材６０の係合脚部６２がファスナーテープ２０と接触することがないので、係合脚部６２を貫通孔５２に円滑に挿入・係合させることができる。
【００３０】
また、本実施形態のスライドファスナー１０によれば、下止部５０の壁部５３で囲まれた部分の内側である収容凹部５４に装飾部材６０の板部材６１が収容されるため、板部材６１と外部の部材との接触を防止することができ、装飾部材６０の下止部５０からの脱落を防止することができる。
【００３１】
また、本実施形態のスライドファスナー１０によれば、下止部５０がスライダーの摺動方向に沿って長方形状に形成されるため、下止部５０をファスナーテープ２０に強固に取り付けることができる。
【００３２】
また、貫通孔５２が、下止部５０の長手方向に沿って長方形状に形成され、下止部５０の長手方向に沿って２個配置されるため、下止部５０と装飾部材６０との取付強度を高めることができ、装飾部材６０の下止部５０からの脱落を防止することができる。
【００３３】
また、本実施形態のスライドファスナー１０によれば、下止部５０の貫通孔５２の挿入口側の内周面に傾斜面５５，５６が形成されるため、装飾部材６０の係合脚部６２が貫通孔５２に導かれて、貫通孔５２に係合脚部６２を挿入し易くすることができる。これにより、装飾部材６０を下止部５０に装着する作業を容易にすることができる。
【００３４】
（第１変形例）
本実施形態の第１変形例として、上記下止部５０を図８に示す下止部５０Ａとしてもよい。この下止部５０Ａでは、貫通孔５２から係合段部５７及び脚部収容凹部５８が削除されており、装飾部材６０の係合脚部６２が下止部５０Ａの裏面と係合している。さらに、壁部５３が削除されている。
【００３５】
（第２変形例）
本実施形態の第２変形例として、上記下止部５０及び装飾部材６０を図９に示す下止部５０Ｂ及び装飾部材６０Ｂとしてもよい。この下止部５０Ｂは、ファスナーテープ２０の幅方向に長い矩形状に形成されており、その表面に星型の壁部５３Ｂが形成されている。また、装飾部材６０Ｂは、その板部材６１Ｂが壁部５３Ｂ内に嵌合可能な星型に形成されている。なお、本変形例では、それぞれ不図示の貫通孔及び係合脚部は、下止部５０Ｂ及び装飾部材６０Ｂの中心に１個設けられている。
【００３６】
（第３変形例）
本実施形態の第３変形例として、上記下止部５０及び装飾部材６０を図１０に示す下止部５０Ｃ及び装飾部材６０Ｃとしてもよい。この下止部５０Ｃは、円形状に形成されており、その表面に円形状の壁部５３Ｃが形成されている。また、装飾部材６０Ｃは、その板部材６１Ｃが壁部５３Ｃ内に嵌合可能な円形状に形成されている。なお、本変形例では、それぞれ不図示の貫通孔及び係合脚部は、下止部５０Ｃ及び装飾部材６０Ｃの中心に１個設けられている。また、貫通孔及び係合脚部は、長方形状でなく円形状であってもよい。
【００３７】
（第４変形例）
本実施形態の第４変形例として、上記下止部５０及び装飾部材６０を図１１に示す下止部５０Ｄ及び装飾部材６０Ｄとしてもよい。下止部５０Ｄの表面には、断面逆Ｔ字状の係合溝部（被係合部）５２Ｄが長手方向に沿って形成され、装飾部材６０Ｄの板部材６１Ｄの下面には、係合溝部５２Ｄと嵌合する断面逆Ｔ字状の係合突部（係合部）６２Ｄが長手方向に沿って形成されている。そして、本変形例では、下止部５０Ｄの係合溝部５２Ｄに装飾部材６０Ｄの係合突部６２Ｄをスライドにより嵌合させることによって、装飾部材６０Ｄが下止部５０Ｄに装着される。
【００３８】
（第５変形例）
本実施形態の第５変形例として、図１２に示すように、上記第４変形例の装飾部材６０Ｄから板部材６１Ｄを削除して、係合突部６２Ｄの上部の凸部を本体部６１Ｅとして、その本体部６１Ｅの上面に装飾（本変形例では数字の「１」と「２」）を施してもよい。
【００３９】
（第６変形例）
本実施形態の第６変形例として、図１３及び図１４に示すように、図６及び図７で説明した装飾部材６０の係合脚部６２の裏面側に、ファスナーテープ２０の表裏方向に突出する延出部６５が形成された装飾部材６０Ｆとしてもよい。この延出部６５の長さは、下止部５０の貫通孔５２に延出部６５を挿入したとき、延出部６５を容易に把持できるように、少なくとも先端が下止部５０の裏面から突出する長さであることが好ましい。
【００４０】
また、延出部６５の両側面には、長手方向に沿う一対の略Ｖ字状の溝部６６が幅方向略中心に設けられている。即ち、延出部６５と係合脚部６２との接合部における接合面積は、延出部６５の幅方向略中心部が、他の部分の接合面積より小さく、機械的強度が小さい脆弱部６７を構成している。なお、溝部６６は、延出部６５と係合脚部６２との接合部に脆弱部６７を形成するためのものであり、延出部６５と係合脚部６２との接合部に形成されていればよく、溝部６６を延出部６５の全長に亘って設ける必要はない。また、延出部６５を係合脚部６２から分離する必要がない場合は、溝部６６（脆弱部６７）を形成しなくてもよい。
【００４１】
そして、装飾部材６０Ｆの組み付けは、図１５（ａ）に示すように、下止部５０の貫通孔５２に装飾部材６０Ｆの延出部６５を挿入し、貫通孔５２から裏面側に突出する延出部６５を把持して図中上方に引っ張る。これにより、図１５（ｂ）に示すように、下止部５０より軟質の合成樹脂材料から成形されている装飾部材６０Ｆの係合部６３が弾性変形して下止部５０の貫通孔５２に挿入され、下止部５０の貫通孔５２と係合する。なお、脆弱部６７の引張り強度は、貫通孔５２に係合させる際に係合部６３を弾性変形させるに要する強度より大きく設定されている。
【００４２】
次いで、図１５（ｃ）に示すように、脆弱部６７に破断強度以上の大きな力が作用するように、例えば、斜め上方に向けて延出部６５を強く引っ張ると、延出部６５は脆弱部６７を破断起点として根元部で破断し、係合脚部６２に延出部除去痕６２ａを残して係合脚部６２から分離する。
【００４３】
係合脚部６２に残る延出部除去痕６２ａは、そのままでも機能上支障はないが、
表面を滑らかにする表面加工を施してもよい。なお、延出部除去痕６２ａとは、装飾部材６０Ｆの成形時に形成された他の表面と外観が異なる部分のことであり、延出部６５の除去後に表面平滑化処理した面も含む。さらに、ここで言う外観とは、光沢、表面粗さ、表面形状など、視覚及び触覚により他と異なると判断できるもののことである。
【００４４】
延出部６５は、手で強く引っ張ることにより脆弱部６７から破断して除去することができるが、カッターなどの刃物で切断するようにすれば、延出部除去痕６２ａがよりきれいな状態で延出部６５を除去することができる。なお、脆弱部６７は、延出部６５と係合脚部６２との接合部における機械的強度が、他の部分より弱ければよく、その形状、構成などに限定はない。
【００４５】
本変形例によれば、係合脚部６２が、係合脚部６２の裏面側にファスナーテープ２０の表裏方向に突出する延出部６５を備え、係合脚部６２を延出部６５と共に貫通孔５２に挿入した後、延出部６５を下止部５０の裏面方向に引っ張って係合部６３を貫通孔５２に係合させるため、工具を用いることなく容易に係合部６３と貫通孔５２とを係合させることができ、作業性を向上することができる。これにより、例えば、顧客が選択した任意の装飾部材６０Ｆを、現場で取り付けることが可能となり、顧客の要望に迅速に対応することができる。
【００４６】
さらに、延出部６５は、機械的強度が他の部分より弱く設定された脆弱部６７を備え、脆弱部６７を破断起点として係合脚部６２から延出部６５を分離除去できるため、装飾部材６０Ｆを下止部５０に装着した後、係合脚部６２から延出部６５を分離除去することで良好な意匠性を維持することができる。
【００４７】
（第７変形例）
本実施形態の第７変形例として、上記延出部６５を図１６に示す延出部６５Ｇとしてもよい。この延出部６５Ｇは、断面矩形状であり、係合脚部６２との接合部に脆弱部６７として略Ｖ字状の切欠部６８が形成されている。
【００４８】
（第８変形例）
本実施形態の第８変形例として、上記延出部６５を図１７に示す延出部６５Ｈとしてもよい。この延出部６５Ｈは、断面矩形状であり、係合脚部６２との接合部に脆弱部６７として複数の孔部６９が形成されている。
【００４９】
（第９変形例）
本実施形態の第９変形例として、上記延出部６５を図１８に示す延出部６５Ｋとしてもよい。この延出部６５Ｋは、係合脚部６２の長手方向一端側の幅が、他端側の幅から次第に狭くなる断面略三角形に形成され、係合脚部６２との接合面積が小さい頂点部が脆弱部６７を構成する。即ち、延出部６５Ｋと係合脚部６２との接合強度に方向性が付与される。従って、延出部６５Ｋを破断するときは、延出部６５Ｋを三角形の底辺側に倒すように曲げて引っ張ることで、脆弱部６７に力を集中させて破断する。
【００５０】
さらに、図１９〜図２２に示すように、ファスナーエレメント列３０の上端部に設けられる上止部７０に、装飾部材６０を装着するようにしてもよい。上止部７０は、正方形状に形成され、装飾部材６０の板部材６１は、上止部７０より小さい正方形状に形成されている。また、上止部７０は、上記下止部５０と同様の構造で、貫通孔５２から係合段部５７及び脚部収容凹部５８が削除されており、装飾部材６０の係合脚部６２が上止部７０の裏面と係合している。また、壁部５３が削除されている。また、貫通孔５２及び係合脚部６２は、上止部７０及び装飾部材６０の中心に１個設けられている。さらに、上止部７０の下縁のファスナーテープ２０寄りには、ファスナーエレメント列３０側に突出し、不図示のスライダー内に入り込む突部７１が形成されている。
【００５１】
（使用例）
上記本実施形態のスライドファスナー１０は、図２３に示すように、バッグ８０の開口部８１に使用することができ、また、図２４に示すように、上着９０の胸ポケット９１に使用することができる。
【００５２】
なお、本発明は上記実施形態に例示したものに限定されるものではなく、本発明の要旨を逸脱しない範囲において適宜変更可能である。
例えば、本実施形態では、装飾部材は、貫通孔と係合脚部との係合により止部に取り付けられているが、これに限定されず、接着により止部に取り付けられていてもよい。
また、係合部は、略Ｊ字状や略Ｔ字状などが考えられ、凹部は、溝や穴などが考えられる。
【符号の説明】
【００５３】
１０    スライドファスナー
２０    ファスナーテープ
２０ａ  テープ側縁部
３０    ファスナーエレメント列
３１    ファスナーエレメント
５０    下止部
５１    テープ収容部
５２    貫通孔（被係合部）
５３    壁部
５７    係合段部
６０    装飾部材
６１    板部材（本体部）
６２    係合脚部（係合部）
５０Ａ  下止部
５０Ｂ  下止部
５３Ｂ  壁部
６０Ｂ  装飾部材
６１Ｂ  板部材
５０Ｃ  下止部
５３Ｃ  壁部
６０Ｃ  装飾部材
６１Ｃ  板部材
５０Ｄ  下止部
５２Ｄ  係合溝部（被係合部）
６０Ｄ  装飾部材
６１Ｄ  板部材
６２Ｄ  係合突部（係合部）
６０Ｆ  装飾部材
６２ａ  延出部除去痕
６５    延出部
６６    溝部
６７    脆弱部
６５Ｇ  延出部
６８    切欠部
６５Ｈ  延出部
６９    孔部
６５Ｋ  延出部
７０    上止部
【図１】
2012043047.tif 000003
【図２】
2012043047.tif 000004
【図３】
2012043047.tif 000005
【図４】
2012043047.tif 000006
【図５】
2012043047.tif 000007
【図６】
2012043047.tif 000008
【図７】
2012043047.tif 000009
【図８】
2012043047.tif 000010
【図９】
2012043047.tif 000011
【図１０】
2012043047.tif 000012
【図１１】
2012043047.tif 000013
【図１２】
2012043047.tif 000014
【図１３】
2012043047.tif 000015
【図１４】
2012043047.tif 000016
【図１５】
2012043047.tif 000017
【図１６】
2012043047.tif 000018
【図１７】
2012043047.tif 000019
【図１８】
2012043047.tif 000020
【図１９】
2012043047.tif 000021
【図２０】
2012043047.tif 000022
【図２１】
2012043047.tif 000023
【図２２】
2012043047.tif 000024
【図２３】
2012043047.tif 000025
【図２４】
2012043047.tif 000026
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
一対のファスナーテープ（２０）と、
前記一対のファスナーテープの対向するテープ側縁部（２０ａ）に沿ってそれぞれ列設され、複数のファスナーエレメント（３１）を有する一対のファスナーエレメント列（３０）と、
前記一対のファスナーエレメント列を噛合・分離させるスライダーと、
前記一対のファスナーエレメント列の上下端部に配置され、前記スライダーの摺動を停止させる止部（５０，７０）と、
前記止部の少なくともいずれか１つに装着される装飾部材（６０）と、を備え、
前記止部の少なくともいずれか１つは、前記ファスナーテープを収容するテープ収容部（５１）と、前記装飾部材を係合させる被係合部（５２）と、を有し、
前記被係合部は、前記一対のファスナーテープ間に形成され、前記止部を表裏方向に貫通する貫通孔（５２）であり、
前記装飾部材は、装飾が施される本体部（６１）と、前記本体部の裏面に設けられ前記被係合部と係合する係合部（６２）と、を有することを特徴とするスライドファスナー（１０）。
【請求項２】
前記係合部（６２）は、前記本体部（６１）の裏側から前記ファスナーテープ（２０）の表裏方向に突出する突起であって、その先端部から前記ファスナーテープと水平方向に膨出する部分を有し、
前記被係合部（５２）は、前記係合部と係合する凹部からなることを特徴とする請求項１に記載のスライドファスナー。
【請求項３】
前記係合部は、前記本体部（６１）の裏面に突設される係合脚部（６２）であることを特徴とする請求項１に記載のスライドファスナー。
【請求項４】
前記貫通孔（５２）は、前記係合脚部（６２）と係合する係合段部（５７）を有することを特徴とする請求項３に記載のスライドファスナー。
【請求項５】
前記係合脚部（６２）は、前記ファスナーテープ（２０）の長手方向に沿って形成されることを特徴とする請求項３又は４に記載のスライドファスナー。
【請求項６】
前記装飾部材（６０）は、軟質の合成樹脂材料からなり、
前記止部（５０，７０）は、前記装飾部材より硬質の合成樹脂材料からなり、
前記貫通孔（５２）の内周面は合成樹脂により覆われていることを特徴とする請求項４に記載のスライドファスナー。
【請求項７】
前記止部（５０）の表面に壁部（５３）が立設され、
前記壁部で囲まれた部分の内側に前記装飾部材（６０）が収容されることを特徴とする請求項６に記載のスライドファスナー。
【請求項８】
前記止部（５０）は、前記一対のファスナーテープ（２０）に跨って設けられ、前記スライダーの摺動方向に沿って長方形状に形成される下止部であることを特徴とする請求項７に記載のスライドファスナー。
【請求項９】
前記係合部（６２）は、前記係合部の裏面側に前記ファスナーテープ（２０）の表裏方向に突出する延出部（６５，６５Ｇ，６５Ｈ，６５Ｋ）を備えることを特徴とする請求項１に記載のスライドファスナー。
【請求項１０】
前記延出部（６５，６５Ｇ，６５Ｈ，６５Ｋ）は、機械的強度が他の部分より弱く設定され、前記係合部（６２）から前記延出部を分離するための破断起点となる脆弱部（６７）を備えることを特徴とする請求項９に記載のスライドファスナー。
【請求項１１】
前記延出部（６５Ｋ）は、一端側の幅が、他端側の幅から次第に狭くなる断面形状を有することを特徴とする請求項９に記載のスライドファスナー。
【請求項１２】
前記係合部（６２）の裏面は、前記係合部から前記延出部（６５，６５Ｇ，６５Ｈ，６５Ｋ）を分離除去した延出部除去痕（６２ａ）を有することを特徴とする請求項９に記載のスライドファスナー。
【請求項１３】
スライドファスナー（１０）の止部の製造方法であって、
止部（５０，７０）は、ファスナーテープ（２０）を収容するテープ収容部（５１）と、装飾部材（６０）を係合させる被係合部（５２）と、を有し、
前記装飾部材は、装飾が施される本体部（６１）と、前記本体部の裏面に設けられ前記被係合部と係合する係合部（６２）と、を有し、
前記係合部の裏面側に、前記ファスナーテープの表裏方向に突出する延出部（６５，６５Ｇ，６５Ｈ，６５Ｋ）が形成され、
前記係合部を前記延出部と共に前記被係合部に挿入する工程と、
前記延出部を前記止部の裏面方向に引っ張って前記係合部を前記被係合部に係合させる工程と、を備えることを特徴とするスライドファスナーの止部の製造方法。
【請求項１４】
前記係合部（６２）を前記被係合部（５２）に係合させて前記装飾部材（６０）を前記止部（５０，７０）に装着した後、前記係合部から前記延出部（６５，６５Ｇ，６５Ｈ，６５Ｋ）を分離除去する工程を更に備えることを特徴とする請求項１３に記載のスライドファスナーの止部の製造方法。
【手続補正２】
【補正対象書類名】明細書
【補正対象項目名】０００８
【補正方法】変更
【補正の内容】
【０００８】
本発明の上記目的は、下記の構成により達成される。
（１）一対のファスナーテープと、一対のファスナーテープの対向するテープ側縁部に沿ってそれぞれ列設され、複数のファスナーエレメントを有する一対のファスナーエレメント列と、一対のファスナーエレメント列を噛合・分離させるスライダーと、一対のファスナーエレメント列の上下端部に配置され、スライダーの摺動を停止させる止部と、止部の少なくともいずれか１つに装着される装飾部材と、を備え、止部の少なくともいずれか１つは、ファスナーテープを収容するテープ収容部と、装飾部材を係合させる被係合部と、を有し、被係合部は、一対のファスナーテープ間に形成され、止部を表裏方向に貫通する貫通孔であり、装飾部材は、装飾が施される本体部と、本体部の裏面に設けられ被係合部と係合する係合部と、を有することを特徴とするスライドファスナー。
（２）係合部は、本体部の裏側からファスナーテープの表裏方向に突出する突起であって、その先端部からファスナーテープと水平方向に膨出する部分を有し、被係合部は、係合部と係合する凹部からなることを特徴とする（１）に記載のスライドファスナー。
（３）係合部は、本体部の裏面に突設される係合脚部であることを特徴とする（１）に記載のスライドファスナー。
（４）貫通孔は、係合脚部と係合する係合段部を有することを特徴とする（３）に記載のスライドファスナー。
（５）係合脚部は、ファスナーテープの長手方向に沿って形成されることを特徴とする（３）又は（４）に記載のスライドファスナー。
（６）装飾部材は、軟質の合成樹脂材料からなり、止部は、装飾部材より硬質の合成樹脂材料からなり、貫通孔の内周面は合成樹脂により覆われていることを特徴とする（４）に記載のスライドファスナー。
（７）止部の表面に壁部が立設され、壁部で囲まれた部分の内側に装飾部材が収容されることを特徴とする（６）に記載のスライドファスナー。
（８）止部は、一対のファスナーテープに跨って設けられ、スライダーの摺動方向に沿って長方形状に形成される下止部であることを特徴とする（７）に記載のスライドファスナー。
（９）係合部は、係合部の裏面側に前記ファスナーテープの表裏方向に突出する延出部を備えることを特徴とする（１）に記載のスライドファスナー。
（１０）延出部は、機械的強度が他の部分より弱く設定され、係合部から延出部を分離するための破断起点となる脆弱部を備えることを特徴とする（９）に記載のスライドファスナー。
（１１）延出部は、一端側の幅が、他端側の幅から次第に狭くなる断面形状を有することを特徴とする（９）に記載のスライドファスナー。
（１２）係合部の裏面は、係合部から延出部を分離除去した延出部除去痕を有することを特徴とする（９）に記載のスライドファスナー。
（１３）スライドファスナーの止部の製造方法であって、止部は、ファスナーテープを収容するテープ収容部と、装飾部材を係合させる被係合部と、を有し、装飾部材は、装飾が施される本体部と、本体部の裏面に設けられ被係合部と係合する係合部と、を有し、係合部の裏面側に、ファスナーテープの表裏方向に突出する延出部が形成され、係合部を延出部と共に被係合部に挿入する工程と、延出部を止部の裏面方向に引っ張って係合部を被係合部に係合させる工程と、を備えることを特徴とするスライドファスナーの止部の製造方法。
（１４）係合部を被係合部に係合させて装飾部材を止部に装着した後、係合部から延出部を分離除去する工程を更に備えることを特徴とする（１３）に記載のスライドファスナーの止部の製造方法。
【手続補正３】
【補正対象書類名】明細書
【補正対象項目名】０００９
【補正方法】変更
【補正の内容】
【０００９】
本発明のスライドファスナーによれば、一対のファスナーエレメント列の上下端部に配置され、スライダーの摺動を停止させる止部と、止部の少なくともいずれか１つに装着される装飾部材と、を備えるため、任意の装飾が施された装飾部材を止部に装着して、止部に装飾性を付与することができる。
また、本発明のスライドファスナーによれば、止部を表裏方向に貫通する貫通孔を有するため、装着部材を貫通孔に係合させることにより装飾部材を止部に容易に取り付けることができる。
【国際調査報告】
2012043047.tif 000027
2012043047.tif 000028
2012043047.tif 000029
2012043047.tif 000030